(57)【要約】  本発明の一実施形態によるバッテリーモジュールは、複数のバッテリーセルと、複数のバッテリーセルを収容するためのモジュールケースと、モジュールケース内に挿入され、複数のバッテリーセルを支持するバスバーフレーム組立体であって、複数のバッテリーセルの電極リードと電気的に接続される複数のバスバーを備えるバスバーフレーム組立体と、複数のバスバーのうち少なくとも一対のバスバーと連結され、複数のバスバーの間に配置されるヒューズユニットとを含むことを特徴とする。
2021518984.tif 000002
【特許請求の範囲】
【請求項１】
複数のバッテリーセルと、
前記複数のバッテリーセルを収容するためのモジュールケースと、
前記モジュールケース内に挿入され、前記複数のバッテリーセルを支持するバスバーフレーム組立体であって、前記複数のバッテリーセルの電極リードと電気的に接続される複数のバスバーを備えるバスバーフレーム組立体と、
前記複数のバスバーのうち少なくとも一対のバスバーと連結され、前記複数のバスバーの間に配置されるヒューズユニットとを含む、バッテリーモジュール。
【請求項２】
前記複数のバスバーが、前記ヒューズユニットを挟んで相互に対称に配置される、請求項１に記載のバッテリーモジュール。
【請求項３】
前記ヒューズユニットが、前記バスバーフレーム組立体の前面及び後面のうち少なくとも一面の中央に備えられる、請求項１又は２に記載のバッテリーモジュール。
【請求項４】
前記ヒューズユニットが、
前記少なくとも一対のバスバーと連結される一対の連結部材と、
前記一対の連結部材の間に設けられ、所定以上の過電流が流れると溶断するヒューズ本体とを含む、請求項１から３のいずれか一項に記載のバッテリーモジュール。
【請求項５】
前記ヒューズユニットが、前記一対のバスバーと前記一対の連結部材とを結合させるための一対の結合部材をさらに含む、請求項４に記載のバッテリーモジュール。
【請求項６】
前記バスバーフレーム組立体が、前記複数のバスバーを備えるフロントフレーム及びリアフレームと、前記フロントフレームと前記リアフレームとを連結するトップフレームとを含み、
前記ヒューズユニットは、前記フロントフレーム及び前記リアフレームのうち少なくとも一つに設けられる、請求項１から５のいずれか一項に記載のバッテリーモジュール。
【請求項７】
前記ヒューズユニットが、前記フロントフレーム及び前記リアフレームのうち少なくとも一つの中央に配置される、請求項６に記載のバッテリーモジュール。
【請求項８】
前記フロントフレーム及び前記リアフレームが、前記トップフレームに対して回転自在にヒンジ結合される、請求項６または７に記載のバッテリーモジュール。
【請求項９】
請求項１から８のいずれか一項に記載の少なくとも一つのバッテリーモジュールと、
前記少なくとも一つのバッテリーモジュールをパッケージングするパックケースとを含む、バッテリーパック。
【請求項１０】
請求項９に記載のバッテリーパックを含む、自動車。
【発明の詳細な説明】
【技術分野】
【０００１】
本発明は、バッテリーモジュール、該バッテリーモジュールを含むバッテリーパック及び該バッテリーパックを含む自動車に関する。
【０００２】
本出願は、２０１８年１２月２６日出願の韓国特許出願第１０−２０１８−０１６９９４６号に基づく優先権を主張し、当該出願の明細書及び図面に開示された内容は、すべて本出願に組み込まれる。
【背景技術】
【０００３】
製品群毎の適用性が高く、高いエネルギー密度などの電気的特性を有する二次電池は、携帯用機器だけでなく、電気的駆動源によって駆動する電気自動車（ＥＶ；Ｅｌｅｃｔｒｉｃ Ｖｅｈｉｃｌｅ）またはハイブリッド自動車（ＨＥＶ；Ｈｙｂｒｉｄ Ｅｌｅｃｔｒｉｃ Ｖｅｈｉｃｌｅ）などに普遍的に適用されている。このような二次電池は、化石燃料の使用を画期的に減少させるという一次的な長所だけでなく、エネルギーの使用による副産物が全く発生しないという点で環境にやさしく、エネルギー効率向上のための新たなエネルギー源として注目されている。
【０００４】
現在、リチウムイオン電池、リチウムポリマー電池、ニッケルカドミウム電池、ニッケル水素電池、ニッケル亜鉛電池などの二次電池が広く使用されている。このような単位二次電池セル、すなわち、単位バッテリーセルの作動電圧は約２．５Ｖ〜４．５Ｖである。したがって、これよりも高い出力電圧が求められる場合、複数のバッテリーセルを直列で接続してバッテリーパックを構成することがある。また、バッテリーパックに求められる充放電容量に合わせて、複数のバッテリーセルを並列で接続してバッテリーパックを構成することもある。したがって、前記バッテリーパックに含まれるバッテリーセルの個数は求められる出力電圧または充放電容量によって多様に設定され得る。
【０００５】
一方、複数のバッテリーセルを直列／並列で接続してバッテリーパックを構成する場合、少なくとも一つのバッテリーセルを含むバッテリーモジュールをまず構成し、このような少なくとも一つのバッテリーモジュールにその他の構成要素を付け加えてバッテリーパックを構成する方法が一般的である。
【０００６】
一般にバッテリーモジュールには、過電圧または過電流によって引き起こるバッテリーセルの爆発などの事故を事前に防止するため、許容電流以上の電流が発生するとバッテリーモジュールの電流を遮断できるように溶断するヒューズユニットが備えられる。このような従来のヒューズユニットは、一般にバッテリーモジュールの外側に備えられる。
【０００７】
しかし、ヒューズユニットの配置位置によって、バッテリーモジュールのバッテリーパックやその他の構造物などを取り付けるとき、ヒューズユニットが占める空間分の空間的損失又は空間的制約などのデッドスペースが発生する問題がある。
【０００８】
そこで、ヒューズユニットを取り付けるときデッドスペースの発生を最小化できるバッテリーモジュール、該バッテリーモジュールを含むバッテリーパック及び該バッテリーパックを含む自動車を提供するための方案が求められている。
【発明の概要】
【発明が解決しようとする課題】
【０００９】
したがって、本発明は、ヒューズユニットを取り付けるときデッドスペースの発生を最小化できるバッテリーモジュール、該バッテリーモジュールを含むバッテリーパック及び該バッテリーパックを含む自動車を提供することを目的とする。
【課題を解決するための手段】
【００１０】
上記の目的を解決するため、本発明は、複数のバッテリーセルと、前記複数のバッテリーセルを収容するためのモジュールケースと、前記モジュールケース内に挿入され、前記複数のバッテリーセルを支持するバスバーフレーム組立体であって、前記複数のバッテリーセルの電極リードと電気的に接続される複数のバスバーを備えるバスバーフレーム組立体と、前記複数のバスバーのうち少なくとも一対のバスバーと連結され、前記複数のバスバーの間に配置されるヒューズユニットとを含むことを特徴とするバッテリーモジュールを提供する。
【００１１】
前記複数のバスバーは、前記ヒューズユニットを挟んで相互に対称に配置され得る。
【００１２】
前記ヒューズユニットは、前記バスバーフレーム組立体の前面及び後面のうち少なくとも一面の中央に備えられ得る。
【００１３】
前記ヒューズユニットは、前記少なくとも一対のバスバーと連結される一対の連結部材と、前記一対の連結部材の間に設けられ、所定以上の過電流が流れると溶断するヒューズ本体とを含み得る。
【００１４】
前記ヒューズユニットは、前記一対のバスバーと前記一対の連結部材とを結合させるための一対の結合部材をさらに含み得る。
【００１５】
前記バスバーフレーム組立体は、前記複数のバスバーを備えるフロントフレーム及びリアフレームと、前記フロントフレームと前記リアフレームとを連結するトップフレームとを含み、前記ヒューズユニットは、前記フロントフレーム及び前記リアフレームのうち少なくとも一つに設けられ得る。
【００１６】
前記ヒューズユニットは、前記フロントフレーム及び前記リアフレームのうち少なくとも一つの中央に配置され得る。
【００１７】
前記フロントフレーム及び前記リアフレームは、前記トップフレームに対して回転自在にヒンジ結合され得る。
【００１８】
また、本発明は、上述した本発明による少なくとも一つのバッテリーモジュールと、前記少なくとも一つのバッテリーモジュールをパッケージングするパックケースとを含むことを特徴とするバッテリーパックを提供する。
【００１９】
さらに、本発明は、上述した本発明によるバッテリーパックを含むことを特徴とする自動車を提供する。
【発明の効果】
【００２０】
本発明によれば、ヒューズユニットを取り付けるときデッドスペースの発生を最小化できるバッテリーモジュール、該バッテリーモジュールを含むバッテリーパック及び該バッテリーパックを含む自動車を提供することができる。
【００２１】
本明細書に添付される次の図面は、本発明の望ましい実施形態を例示するものであり、発明の詳細な説明とともに本発明の技術的な思想をさらに理解させる役割をするものであるため、本発明は図面に記載された事項だけに限定されて解釈されてはならない。
【図面の簡単な説明】
【００２２】
【図１】本発明の一実施形態によるバッテリーモジュールを説明するための図である。
【図２】図１のバッテリーモジュールの底面斜視図である。
【図３】図２のバッテリーモジュールの底面図である。
【図４】図１のバッテリーモジュールの樹脂注入工程を説明するための図である。
【図５】図４のバッテリーモジュールの多様な実施例による樹脂注入孔の形態を説明するための図である。
【図６】図４のバッテリーモジュールの多様な実施例による樹脂注入孔の形態を説明するための図である。
【図７】図１のバッテリーモジュールのモジュールケースを除去した様子を示した図である。
【図８】図７のバッテリーモジュールの分解斜視図である。
【図９】図７のバッテリーモジュールの前面図である。
【図１０】図９のバッテリーモジュールの要部拡大図である。
【図１１】本発明の一実施形態によるバッテリーパックを説明するための図である。
【図１２】本発明の一実施形態による自動車を説明するための図である。
【発明を実施するための形態】
【００２３】
本発明は、添付された図面を参照して本発明の望ましい実施形態を詳しく説明することでより明らかになるであろう。ここで説明される実施形態は発明の理解を助けるための例示的なものであり、本発明はここで説明される実施形態と異なる多様な形態で変形されて実施可能であることを理解しなければならない。また、発明の理解を助けるため、添付された図面は実際の縮尺通りではなく、一部構成要素の寸法を誇張して図示し得る。
【００２４】
図１は本発明の一実施形態によるバッテリーモジュールを説明するための図であり、図２は図１のバッテリーモジュールの底面斜視図であり、図３は図２のバッテリーモジュールの底面図であり、図４は図１のバッテリーモジュールの樹脂注入工程を説明するための図であり、図５及び図６は図４のバッテリーモジュールの多様な実施例による樹脂注入孔の形態を説明するための図であり、図７は図１のバッテリーモジュールのモジュールケースを除去した様子を示した図であり、図８は図７のバッテリーモジュールの分解斜視図であり、図９は図７のバッテリーモジュールの前面図であり、図１０は図９のバッテリーモジュールの要部拡大図である。
【００２５】
図１〜図１０を参照すると、バッテリーモジュール１０は、バッテリーセル１００、モジュールケース２００、バスバーフレーム組立体３００、電圧センシングユニット４００及びヒューズユニット５００を含むことができる。
【００２６】
前記バッテリーセル１００は、二次電池であって、パウチ型二次電池であり得る。前記パウチ型二次電池は、電極組立体、電解液及びパウチ外装材から構成され得る。パウチ外装材は、二つのパウチから構成され、そのうち少なくとも一つには凹状の内部空間が形成され得る。電極組立体と電解液は前記パウチ外装材の内部空間に収納され得る。二つのパウチの外周面にはシーリング部が備えられ、シーリング部同士が融着されることで、電極組立体が収容された内部空間が密閉され得る。
【００２７】
前記バッテリーセル１００は、複数個が備えられ得る。前記複数のバッテリーセル１００は、相互電気的に接続されるように積層され得る。前記複数のバッテリーセル１００は、それぞれ、従来のバッテリーセルに比べて幅に対する長さがさらに長く形成されたロングセル（ｌｏｎｇ ｃｅｌｌ）である。例えば、ロングセルは幅に対する長さが略３〜５倍以上であり得る。本発明による前記バッテリーモジュール１０において、このようなロングセル型のバッテリーセル１００を採用したことは、前記バッテリーモジュール１０の高さを低く維持しながらバッテリーの容量を増加させることで、高容量のバッテリーモジュールを自動車のシート下部やトランク下部などの位置に容易に取り付けるためである。ただし、このような事項に本発明の権利範囲が制限されることはない。
【００２８】
このような複数のバッテリーセル１００にはそれぞれ一対の電極リード１５０が備えられ、前記バッテリーモジュール１０の前後方向にそれぞれ突出し得る。
【００２９】
前記一対の電極リード１５０は、バッテリーセル１００の幅方向の中心部から一側に偏って位置するが、前記バッテリーモジュール１０の高さ方向に沿って下部に偏って位置する。
【００３０】
このように、前記一対の電極リード１５０がバッテリーセル１００の幅方向の中心部から一側に偏って位置することは、後述するコネクタ部材４２０などを取り付けるための空間を提供することで前記バッテリーモジュール１０のエネルギー密度を向上させるためである。
【００３１】
前記モジュールケース２００は、前記複数のバッテリーセル１００を収容し、前記バッテリーモジュール１０の外観を形成し得る。そのため、前記モジュールケース２００には前記バッテリーセル１００を収容可能な所定大きさの空間が設けられ得る。
【００３２】
このようなモジュールケース２００は、四角管状で提供される。前記モジュールケース２００内の空間は、バッテリーセル１００と後述するバスバーフレーム組立体３００が密に収容可能な程度の体積である。このようなモジュールケース２００は、バッテリーモジュールの重量と体積を低減させることができる。
【００３３】
前記モジュールケース２００の一面には、熱伝導性樹脂Ｌを注入可能な少なくとも一つの樹脂注入孔２１０が形成される。ここで、前記モジュールケース２００の一面はバッテリーセル１００の底面部に対応する底面であり得る。
【００３４】
具体的には、前記樹脂注入孔２１０は、前記モジュールケース２００の底面のうち長さ方向に沿った中心領域と両端領域との間に複数個が位置する。そして、前記中心領域及び両端領域には複数のチェック孔２２０がさらに形成され得る。前記チェック孔２２０は、該当領域まで樹脂Ｌが注入されたか否かを確認するための用途である。例えば、前記チェック孔２２０で樹脂Ｌが確認されれば、樹脂Ｌの注入を中止して樹脂Ｌの注入量を調節することができる。
【００３５】
一方、前記樹脂注入孔２１０及び前記チェック孔２２０は、図５に示されたように、四角形の断面を有するか、または、図６に示されたように、前記樹脂Ｌが前記モジュールケース２００内部へより円滑に流入できるように、台形の断面を有し得る。
【００３６】
前記バスバーフレーム組立体３００は、前記モジュールケース２００内に摺動して挿入され、前記複数のバッテリーセル１００を支持することができる。
【００３７】
このようなバスバーフレーム組立体３００は、フロントフレーム３１０、リアフレーム３２０、トップフレーム３３０及び複数のバスバー３５０を含むことができる。
【００３８】
前記フロントフレーム３１０及び前記リアフレーム３２０は、前記複数のバスバー３５０を備え得る。前記トップフレーム３３０は、前記フロントフレームと前記リアフレームとを連結し得る。
【００３９】
具体的には、前記フロントフレーム３１０、リアフレーム３２０及びトップフレーム３３０は、それぞれバッテリーセル１００の前面部、後面部、上面部に対応するサイズで該当部位を覆うことができる。
【００４０】
ここで、前記フロントフレーム３１０及びリアフレーム３２０は、トップフレーム３３０に対して回転自在に設けられる。これは、バッテリーセル１００と前記バスバーフレーム組立体３００との組み立てを容易にするためである。
【００４１】
そのため、前記フロントフレーム３１０及び前記リアフレーム３２０は、前記トップフレーム３３０に対して回転自在にヒンジ結合され得る。すなわち、前記フロントフレーム３１０及び前記リアフレーム３２０は、それぞれ、前記トップフレーム３３０の一端部及び他端部にヒンジ結合され得る。
【００４２】
前記複数のバスバー３５０は、前記フロントフレーム３１０及び前記リアフレーム３２０に備えられ、前記複数のバッテリーセル１００の前記電極リード１５０と電気的に接続され得る。
【００４３】
そのため、前記複数のバスバー３５０は、前記複数のバッテリーセル１００の前記電極リード１５０と溶接結合などによって相互電気的に接続され得る。
【００４４】
前記電圧センシングユニット４００は、前記バッテリーセル１００の電圧情報などをセンシングするためのものであって、ＦＰＣＢ部材４１０、コネクタ部材４２０、温度センサ４３０及びセンシング端子４４０、４５０を含むことができる。
【００４５】
前記ＦＰＣＢ部材４１０は、トップフレーム３３０とバッテリーセル１００の上面との間で前記バッテリーセル１００の長さ方向に沿って延びて配置され得る。前記ＦＰＣＢ部材４１０は、フレキシブルプリント回路基板（Ｆｌｅｘｉｂｌｅ Ｐｒｉｎｔｅｄ Ｃｉｒｃｕｉｔ Ｂｏａｒｄ）で具現され得る。
【００４６】
前記コネクタ部材４２０は、前記ＦＰＣＢ部材４１０と電気的に接続され、前記温度センサ４３０及びセンシング端子４４０、４５０で得たデータなどをバッテリー管理システム（Ｂａｔｔｅｒｙ Ｍａｎａｇｅｍｅｎｔ Ｓｙｓｔｅｍ：ＢＭＳ）に伝送することができる。
【００４７】
前記温度センサ４３０は、前記ＦＰＣＢ部材４１０に備えられ、前記バッテリーセル１００の両端付近に位置し得る。一般に、前記バッテリーセル１００は電極リード１５０周辺の温度が最も高いため、前記温度センサ４３０はバッテリーセル１００の両端に位置することが望ましい。
【００４８】
前記センシング端子４４０、４５０は、フロントフレーム３１０に位置したバスバー３５０毎に取り付けられる第１センシング端子４４０、及びリアフレーム３２０に位置したバスバー３５０毎に取り付けられる第２センシング端子４５０を含み、それぞれのバスバー３５０における電圧値をセンシングすることができる。
【００４９】
前記ヒューズユニット５００は、前記バッテリーセル１００の許容電流以上の電流が発生するとき、前記バッテリーモジュール１０の電流を遮断できるように溶断するものであって、前記複数のバスバー３５０のうち少なくとも一対のバスバー３５０と連結され、前記モジュールケース２００内で前記複数のバスバー３５０の間に配置され得る。ここで、前記複数のバスバー３５０は、前記バスバーフレーム組立体３００の前面及び後面のうち少なくとも一面上で前記ヒューズユニット５００を挟んで相互に対称に配置され得る。
【００５０】
したがって、前記ヒューズユニット５００は、前記バスバーフレーム組立体３００の前面及び後面のうち少なくとも一面の中央に備えられ得る。すなわち、前記ヒューズユニット５００は、前記フロントフレーム３１０及び前記リアフレーム３２０のうち少なくとも一つに設けられ得る。換言すれば、前記ヒューズユニット５００は、前記フロントフレーム３１０及び前記リアフレーム３２０のうち少なくとも一つの中央に配置され得る。
【００５１】
このようなヒューズユニット５００は、連結部材５１０、ヒューズ本体５２０及び結合部材５３０を含むことができる。
【００５２】
前記連結部材５１０は、一対で備えられ、前記少なくとも一対のバスバー３５０と連結され得る。前記ヒューズ本体５２０は、前記一対の連結部材５１０の間に設けられ、許容電流以上の所定の過電流が流れると溶断することで、前記バッテリーモジュール１０の爆発などを防止できるように前記バッテリーモジュール１０の電流を物理的に遮断することができる。前記結合部材５３０は、一対で備えられ、前記一対のバスバー３５０と前記一対の連結部材５１０とを結合させることができる。
【００５３】
このように本実施形態においては、前記ヒューズユニット５００が、前記バッテリーモジュール１０の外部ではなく、前記バッテリーモジュール１０内部の前記バスバーフレーム組立体３００のバスバー３５０の間に配置されるため、バッテリーモジュール１０外部の前記モジュールケース２００の外部で空間を占める問題を根本的に解決することができる。
【００５４】
これによって、本実施形態では、前記バッテリーモジュール１０が後述するバッテリーパック１又はその他の構造物などに取り付けられるとき、前記ヒューズユニット５００が占める空間のため引き起こされ得る空間的損失や空間的制約などが生じない。
【００５５】
したがって、本実施形態による前記バッテリーモジュール１０は、前記ヒューズユニット５００を取り付けるとき、デッドスペースの発生を最小化することができる。
【００５６】
図１１は本発明の一実施形態によるバッテリーパックを説明するための図であり、図１２は本発明の一実施形態による自動車を説明するための図である。
【００５７】
図１１及び図１２を参照すると、バッテリーパック１は、上述した実施形態による少なくとも一つのバッテリーモジュール１０及び前記少なくとも一つのバッテリーモジュール１０をパッケージングするパックケース５０を含むことができる。
【００５８】
このようなバッテリーパック１は、自動車Ｖの燃料源として自動車Ｖに備えられ得る。例えば、前記バッテリーパック１は、電気自動車、ハイブリッド自動車、及びその他のバッテリーパック１を燃料源として利用可能なその他の方式で自動車Ｖに備えられ得る。
【００５９】
もちろん、前記バッテリーパック１は、前記自動車の外にも、二次電池を用いる電力貯蔵装置（Ｅｎｅｒｇｙ Ｓｔｏｒａｇｅ Ｓｙｓｔｅｍ）などのその他の装置や機具及び設備などにも備えられ得る。
【００６０】
このように、本実施形態による前記バッテリーパック１及び前記自動車Ｖのような前記バッテリーパック１を備える装置や機具及び設備は、上述した前記バッテリーモジュール１０を含むことで、上述したバッテリーモジュール１０による長所をすべて有するバッテリーパック１及びこのようなバッテリーパック１を備える自動車Ｖなどの装置や機具及び設備などを具現することができる。
【００６１】
以上のような多様な実施形態によって、前記ヒューズユニット５００を取り付けるとき、デッドスペースの発生を最小化できる前記バッテリーモジュール１０、このようなバッテリーモジュール１０を含む前記バッテリーパック１、及びこのようなバッテリーパック１を含む前記自動車Ｖを提供することができる。
【００６２】
以上のように、本発明の望ましい実施形態を図示して説明したが、本発明は上述した特定の実施形態に限定されることなく、特許請求の範囲で請求する本発明の要旨から逸脱せずに本発明が属する技術分野で通常の知識を持つ者によって多様に変形実施可能であり、このような変形実施は本発明の技術的思想や見込みから個別的に理解されてはならない。
【符号の説明】
【００６３】
１  バッテリーパック
１０  バッテリーモジュール
５０  パックケース
１００  バッテリーセル
１５０  電極リード
２００  モジュールケース
２１０  樹脂注入孔
２２０  チェック孔
３００  バスバーフレーム組立体
３１０  フロントフレーム
３２０  リアフレーム
３３０  トップフレーム
３５０  バスバー
４００  電圧センシングユニット
４１０  ＦＰＣＢ部材
４２０  コネクタ部材
４３０  温度センサ
４４０  第１センシング端子
４５０  第２センシング端子
【図１】
2021518984.tif 000003
【図２】
2021518984.tif 000004
【図３】
2021518984.tif 000005
【図４】
2021518984.tif 000006
【図５】
2021518984.tif 000007
【図６】
2021518984.tif 000008
【図７】
2021518984.tif 000009
【図８】
2021518984.tif 000010
【図９】
2021518984.tif 000011
【図１０】
2021518984.tif 000012
【図１１】
2021518984.tif 000013
【図１２】
2021518984.tif 000014
【国際調査報告】
2021518984.tif 000015
2021518984.tif 000016
2021518984.tif 000017
2021518984.tif 000018